(57)【要約】【課題】相互に中距離無線通信を行う基地局装置（アクセスポイント）及び端末装置（テレビジョン受像機等）を近距離に近づけることなく無線ＬＡＮ通信に必要な情報を自動設定する機能を実現するため，基地局装置と端末装置との間で無線ＬＡＮ通信に必要な情報の授受を仲介する可搬式の無線通信仲介装置を提供すること。【解決手段】可搬式の携帯端末Ｙが，無線ＬＡＮの通信方式よりも通信可能距離が短い近距離無線通信方式により，無線ＬＡＮ通信において用いられる通信データの暗号鍵情報を含む無線ＬＡＮ通信情報を，アクセスポイントＺ及びテレビジョン受像機Ｘのうちの一方から取得及び記憶し，その暗号鍵情報を，前記近距離無線通信方式により，アクセスポイントＺ及びテレビジョン受像機Ｘのうちの他方に対して送信する。【選択図】図１
2009239573.tif 000002
【特許請求の範囲】
【請求項１】
第１の無線通信方式に従って相互に無線通信を行う基地局装置及び端末装置それぞれとの間で，前記第１の無線通信方式とは異なる通信方式で無線通信を行う可搬式の無線通信仲介装置であって，
前記第１の無線通信方式よりも通信可能距離が短い第２の無線通信方式に従って無線通信を行う近距離無線通信手段と，
前記第１の無線通信方式による通信において用いられる通信データの暗号鍵情報を，前記近距離無線通信手段を用いた通信を通じて前記基地局装置及び前記端末装置のうちの一方から取得する暗号鍵情報取得手段と，
前記暗号鍵情報取得手段により取得された前記暗号鍵情報を記憶する暗号鍵情報記憶手段と，
前記暗号鍵情報記憶手段に記憶された前記暗号鍵情報を，前記近距離無線通信手段を用いた通信を通じて前記基地局装置及び前記端末装置のうちの他方に対して送信する暗号鍵情報送信手段と，
を具備してなることを特徴とする無線通信仲介装置。
【請求項２】
前記第１の無線通信方式が，ＩＥＥＥ８０２．１１規格又はＩＥＥＥ８０３．１１規格に準拠した無線通信方式であり，
前記第２の無線通信方式が，ＩｒＤＡ規格，Ｂｌｕｅｔｏｏｔｈ規格，ＩｒＳｉｍｐｌｅ規格又はＩＳＯ／ＩＥＣ  １８０９２規格のいずれかに準拠した無線通信方式を含んでなる請求項１に記載の無線通信仲介装置。
【請求項３】
前記近距離無線通信手段が，複数種類の前記第２の無線通信方式それぞれに対応した複数の無線通信手段を備え，
前記暗号鍵情報取得手段及び前記暗号鍵情報送信手段が，前記近距離無線通信手段が備える異なる無線通信手段を用いて通信を実行してなる請求項１又は２のいずれかに記載の無線通信仲介装置。
【請求項４】
第１の無線通信方式に従って相互に無線通信を行う基地局装置及び端末装置それぞれとの間で前記第１の無線通信方式とは異なる通信方式で無線通信を行う可搬式の装置が備えるプロセッサによって実行される無線通信仲介プログラムであって，
前記プロセッサに，
前記第１の無線通信方式による通信において用いられる通信データの暗号鍵情報を，前記第１の無線通信方式よりも通信可能距離が短い第２の無線通信方式に従って無線通信を行う近距離無線通信手段を用いた通信を通じて前記基地局装置及び前記端末装置のうちの一方から取得して記憶手段に記憶させる暗号鍵情報取得手順と，
前記記憶手段に記憶された前記暗号鍵情報を，前記近距離無線通信手段を用いた通信を通じて前記基地局装置及び前記端末装置のうちの他方に対して送信する暗号鍵情報送信手順と，
を実行させてなることを特徴とする無線通信仲介プログラム。
【請求項５】
第１の無線通信方式に従って基地局装置との間で無線通信を行うＡＶ機器と，前記基地局装置及び前記ＡＶ機器それぞれとの間で無線通信を行う可搬式の無線通信仲介装置と，を備えたＡＶシステムであって，
前記無線通信仲介装置及び前記ＡＶ機器それぞれに設けられ，前記第１の無線通信方式よりも通信可能距離が短い第２の無線通信方式に従って無線通信を行う近距離無線通信手段と，
前記無線通信仲介装置に設けられ，前記第１の無線通信方式による通信において用いられる通信データの暗号鍵情報を，前記近距離無線通信手段を用いた通信を通じて前記基地局装置から取得する暗号鍵情報取得手段と，
前記無線通信仲介装置に設けられ，前記暗号鍵情報取得手段により取得された前記暗号鍵情報を記憶する暗号鍵情報記憶手段と，
前記無線通信仲介装置に設けられ，前記暗号鍵情報記憶手段に記憶された前記暗号鍵情報を，前記近距離無線通信手段を用いた通信を通じて前記ＡＶ機器に対して送信する暗号鍵情報送信手段と，
前記ＡＶ機器に設けられ，前記暗号鍵情報送信手段により送信される前記暗号鍵情報を受信する暗号鍵情報受信手段と，
前記ＡＶ機器に設けられ，前記暗号鍵情報受信手段により受信された前記暗号鍵情報を用いて通信データの暗号化を行いつつ，前記第１の無線通信方式に従って前記基地局装置との間で無線通信を行う中距離無線通信手段と，
を具備してなることを特徴とするＡＶシステム。
【請求項６】
第１の無線通信方式に従って基地局装置との間で無線通信を行うＡＶ機器と，前記基地局装置及び前記ＡＶ機器それぞれとの間で無線通信を行う可搬式の無線通信仲介装置と，を備えたＡＶシステムであって，
前記無線通信仲介装置及び前記ＡＶ機器それぞれに設けられ，前記第１の無線通信方式よりも通信可能距離が短い第２の無線通信方式に従って無線通信を行う近距離無線通信手段と，
前記ＡＶ機器に設けられ，前記第１の無線通信方式による通信において用いられる通信データの暗号鍵情報を，前記近距離無線通信手段を用いた通信を通じて前記無線通信仲介装置に対して提供する暗号鍵情提供手段と，
前記無線通信仲介装置に設けられ，前記暗号鍵情提供手段により提供される前記暗号鍵情報を，前記近距離無線通信手段を用いた通信を通じて前記ＡＶ機器から取得する暗号鍵情報取得手段と，
前記無線通信仲介装置に設けられ，前記暗号鍵情報取得手段により取得された前記暗号鍵情報を記憶する暗号鍵情報記憶手段と，
前記無線通信仲介装置に設けられ，前記暗号鍵情報記憶手段に記憶された前記暗号鍵情報を，前記近距離無線通信手段を用いた通信を通じて前記基地局装置に対して送信する暗号鍵情報送信手段と，
前記ＡＶ機器に設けられ，前記暗号鍵情提供手段により提供された前記暗号鍵情報を用いて通信データの暗号化を行いつつ，前記第１の無線通信方式に従って前記基地局装置との間で無線通信を行う中距離無線通信手段と，
を具備してなることを特徴とするＡＶシステム。
【発明の詳細な説明】
【技術分野】
【０００１】
本発明は，相互に中距離無線通信を行う基地局装置及び端末装置の間において，その中距離無線通信に必要な情報の授受を仲介する可搬式の無線通信仲介装置及びそのプログラム，並びにその無線仲介装置と端末装置の一例であるＡＶ機器とを含むＡＶシステムに関するものである。
【背景技術】
【０００２】
昨今，ＩＥＥＥ８０２．１１諸規格の通信方式に準拠した無線ＬＡＮシステムが広く普及している。例えば，家庭内において，テレビジョン受像機が，その家庭内に設置されたアクセスポイントと無線ＬＡＮ通信を行うことにより，そのアクセスポイントを通じてインターネットにアクセスするシステムが普及しつつある。これにより，テレビジョン受像機は，インターネット上のサーバから電子番組ガイド情報を取得したり，双方向通信型のデジタルテレビ放送における放送元サーバへのデータ送信を行ったりすることが可能となる。
無線ＬＡＮシステムの導入にあたり，無線ＬＡＮ通信に必要な各種情報を設定する必要があり，その設定作業が煩雑となる。無線ＬＡＮ通信に必要な情報設定の例としては，アクセスポイント及び端末装置の両方が対応している通信方式の設定の他，通信の秘匿性を確保するための情報の設定，例えば，アクセスポイントの識別情報であるＳＳＩＤ（Service Set ID）や通信データの暗号情報であるＷＥＰキー（Wired Equivalent Privacy Key）の設定や，パーソナルコンピュータ等の端末装置側のＭＡＣアドレス（Media Access Control Address）のアクセスポイントへの設定等がある。
また，アクセスポイントと端末装置との間で，複数の通信方式を順次切り替えつつ無線ＬＡＮ通信の試行を行うことにより，アクセスポイントと端末装置とが，無線ＬＡＮ通信に必要な各種情報を試行錯誤的に自動設定するシステムも実用化されている。
しかしながら，無線ＬＡＮ通信の試行によって通信に必要な情報を自動設定するシステムは，想定外のアクセスポイント及び端末装置の間で無線通信が確立されてしまう場合があるという問題点を有している。その問題点は，いわゆる中距離無線通信の一例である無線ＬＡＮ通信における通信可能距離が，数十メートル乃至数百メートルと比較的長いことに起因する。例えば，隣接する異なる家屋それぞれに設置されたアクセスポイントと端末装置との間で無線ＬＡＮ通信が確立されてしまう，或いは，ある家庭内のアクセスポイントに対し他人の端末装置がアクセスして盗聴が行われるといった不都合が生じ得る。
【０００３】
一方，特許文献１や特許文献２には，２つの通信装置が，近接された状態で近距離無線通信方式の通信によって無線ＬＡＮ通信に必要な情報（通信方式や暗号化鍵，復号化鍵等）の授受及び設定を行った上で，その設定情報を用いて無線ＬＡＮ通信を行う通信システムについて示されている。これにより，想定外のアクセスポイント及び端末装置の間で無線通信が確立されてしまうことを防止でき，無線ＬＡＮ通信において高いセキュリティが確保される。なお，近距離無線通信方式としては，通信可能距離が１００ｍｍ程度であるＩＳＯ／ＩＥＣ  １８０９２規格に準拠した無線通信方式（非接触ＩＣカードに採用される無線通信方式）や，通信可能距離が概ね３００ｍｍ乃至１ｍ以内であるＩｒＤＡ規格に準拠した無線通信方式等が考えられる。
【特許文献１】特開２００７−１６６５３８号公報
【特許文献２】特開２００６−１４０７６号公報
【発明の開示】
【発明が解決しようとする課題】
【０００４】
ところで，特許文献１及び特許文献２に示されるシステムにおいては，通信に関する初期設定の際に，無線ＬＡＮ通信を行う２つの通信装置（例えば，アクセスポイント及び端末装置）が，近距離無線通信が可能な距離まで近づけられことを要する。しかしながら，無線ＬＡＮ通信の端末装置が，大型のテレビジョン受像機や自動車等の一部である場合，特許文献１や特許文献２に示されるシステムは，無線ＬＡＮ通信に必要な情報の自動設定機能を有効活用し難いという問題点があった。そのような大型の端末装置をアクセスポイントに対して数百ｍｍ以内の距離まで近づけることは困難だからである。
従って，本発明は上記事情に鑑みてなされたものであり，その目的とするところは，相互に中距離無線通信を行う基地局装置及び端末装置を近距離に近づけることなく中距離無線通信に必要な情報を自動設定する機能を実現するため，基地局装置と端末装置との間で中距離無線通信に必要な情報の授受を仲介する可搬式の無線通信仲介装置及びそのプログラム，並びにその無線仲介装置と端末装置の一例であるＡＶ機器とを含むＡＶシステムを提供することにある。
【課題を解決するための手段】
【０００５】
上記目的を達成するために本発明に係る無線通信仲介装置は，第１の無線通信方式に従って相互に無線通信を行う基地局装置及び端末装置それぞれとの間で，前記第１の無線通信方式とは異なる通信方式で無線通信を行う可搬式の装置であり，次の（１−１）〜（１−４）に示される各構成要素を備える。
（１−１）前記第１の無線通信方式よりも通信可能距離が短い第２の無線通信方式に従って無線通信を行う近距離無線通信手段。
（１−２）前記第１の無線通信方式による通信において用いられる通信データの暗号鍵情報を，前記近距離無線通信手段を用いた通信を通じて前記基地局装置及び前記端末装置のうちの一方から取得する暗号鍵情報取得手段。
（１−３）前記暗号鍵情報取得手段により取得された前記暗号鍵情報を記憶する暗号鍵情報記憶手段。
（１−４）前記暗号鍵情報記憶手段に記憶された前記暗号鍵情報を，前記近距離無線通信手段を用いた通信を通じて前記基地局装置及び前記端末装置のうちの他方に対して送信する暗号鍵情報送信手段。
なお，前記第１の無線通信方式は，ＩＥＥＥ８０２．１１規格又はＩＥＥＥ８０３．１１規格に準拠した無線通信方式が考えられる。
また，前記第２の無線通信方式は，ＩｒＤＡ規格，Ｂｌｕｅｔｏｏｔｈ規格，ＩｒＳｉｍｐｌｅ規格又はＩＳＯ／ＩＥＣ  １８０９２規格のいずれかに準拠した無線通信方式が考えられる。
【０００６】
本発明に係る無線通信仲介装置は，相互に中距離無線通信（前記第１の無線通信方式による通信）を行う基地局装置及び端末装置それぞれに近づけられた際に，近距離無線通信（前記第２の無線通信方式による通信）を通じて，基地局装置と端末装置との間で中距離無線通信に必要な前記暗号鍵情報の授受を仲介する。
その結果，前記基地局装置及び前記端末装置を近距離に近づけることなく，中距離無線通信に必要な暗号鍵情報を自動設定する機能を実現できる。
なお，本発明に係る無線通信仲介装置は，携帯電話機や前記端末装置に対して制御信号を無線伝送するリモート操作器等の可搬式の機器によって実現されることが考えられる。
また，前記近距離無線通信手段が，複数種類の前記第２の無線通信方式それぞれに対応した複数の無線通信手段を備えることが考えられる。そして，前記暗号鍵情報取得手段及び前記暗号鍵情報送信手段が，前記近距離無線通信手段が備える異なる無線通信手段を用いて通信を実行することが考えられる。
これにより，前記基地局装置が対応する近距離無線通信方式と，前記端末装置が対応する近距離無線通信方式が異なる場合でも，前記暗号鍵情報の自動設定機能を実現できる。
また，本発明は，第１の無線通信方式に従って相互に無線通信を行う基地局装置及び端末装置それぞれとの間で前記第１の無線通信方式とは異なる通信方式で無線通信を行う可搬式の装置（例えば，携帯電話機やＰＤＡ，リモート操作器等）が備えるプロセッサによって実行される無線通信仲介プログラムとして捉えることもできる。即ち，本発明に係る無線通信仲介プログラムは，可搬式の装置が備えるプロセッサに，次の（２−１）及び（２−２）に示される各手順を実行させるプログラムである。
（２−１）前記第１の無線通信方式による通信において用いられる通信データの暗号鍵情報を，前記第１の無線通信方式よりも通信可能距離が短い第２の無線通信方式に従って無線通信を行う近距離無線通信手段を用いた通信を通じて前記基地局装置及び前記端末装置のうちの一方から取得して記憶手段に記憶させる暗号鍵情報取得手順。
（２−２）前記記憶手段に記憶された前記暗号鍵情報を，前記近距離無線通信手段を用いた通信を通じて前記基地局装置及び前記端末装置のうちの他方に対して送信する暗号鍵情報送信手順。
【０００７】
また，本発明は，第１の無線通信方式に従って基地局装置との間で無線通信を行うＡＶ機器（前記端末装置に相当するもの）と，前記基地局装置及び前記ＡＶ機器それぞれとの間で無線通信を行う可搬式の無線通信仲介装置と，を備えたＡＶシステムとして捉えることもできる。
即ち，本発明に係るＡＶシステムが，次の（３−１）〜（３−６）に示される各構成要素を備えている場合（第１の例）が考えられる。
（３−１）前記無線通信仲介装置及び前記ＡＶ機器それぞれに設けられ，前記第１の無線通信方式よりも通信可能距離が短い第２の無線通信方式に従って無線通信を行う近距離無線通信手段。
（３−２）前記無線通信仲介装置に設けられ，前記第１の無線通信方式による通信において用いられる通信データの暗号鍵情報を，前記近距離無線通信手段を用いた通信を通じて前記基地局装置から取得する暗号鍵情報取得手段。
（３−３）前記無線通信仲介装置に設けられ，前記暗号鍵情報取得手段により取得された前記暗号鍵情報を記憶する暗号鍵情報記憶手段。
（３−４）前記無線通信仲介装置に設けられ，前記暗号鍵情報記憶手段に記憶された前記暗号鍵情報を，前記近距離無線通信手段を用いた通信を通じて前記ＡＶ機器に対して送信する暗号鍵情報送信手段。
（３−５）前記ＡＶ機器に設けられ，前記暗号鍵情報送信手段により送信される前記暗号鍵情報を受信する暗号鍵情報受信手段。
（３−６）前記ＡＶ機器に設けられ，前記暗号鍵情報受信手段により受信された前記暗号鍵情報を用いて通信データの暗号化を行いつつ，前記第１の無線通信方式に従って前記基地局装置との間で無線通信を行う中距離無線通信手段。
この第１の例における前記無線通信仲介装置は，前記暗号鍵情報を前記基地局装置から取得して前記ＡＶ機器に引き渡す。
【０００８】
また，本発明に係るＡＶシステムが，次の（４−１）〜（４−６）に示される各構成要素を備えている場合（第２の例）も考えられる。
（４−１）前記無線通信仲介装置及び前記ＡＶ機器それぞれに設けられ，前記第１の無線通信方式よりも通信可能距離が短い第２の無線通信方式に従って無線通信を行う近距離無線通信手段。
（４−２）前記ＡＶ機器に設けられ，前記第１の無線通信方式による通信において用いられる通信データの暗号鍵情報を，前記近距離無線通信手段を用いた通信を通じて前記無線通信仲介装置に対して提供する暗号鍵情提供手段。
（４−３）前記無線通信仲介装置に設けられ，前記暗号鍵情提供手段により提供される前記暗号鍵情報を，前記近距離無線通信手段を用いた通信を通じて前記ＡＶ機器から取得する暗号鍵情報取得手段。
（４−４）前記無線通信仲介装置に設けられ，前記暗号鍵情報取得手段により取得された前記暗号鍵情報を記憶する暗号鍵情報記憶手段。
（４−５）前記無線通信仲介装置に設けられ，前記暗号鍵情報記憶手段に記憶された前記暗号鍵情報を，前記近距離無線通信手段を用いた通信を通じて前記基地局装置に対して送信する暗号鍵情報送信手段。
（４−６）前記ＡＶ機器に設けられ，前記暗号鍵情提供手段により提供された前記暗号鍵情報を用いて通信データの暗号化を行いつつ，前記第１の無線通信方式に従って前記基地局装置との間で無線通信を行う中距離無線通信手段。
この第２の例における前記無線通信仲介装置は，前記暗号鍵情報を前記ＡＶ機器から取得して前記基地局装置に引き渡す。
以上に示した本発明に係る無線通信仲介プログラム，又は本発明に係るＡＶシステムは，前述した本発明に係る無線通信仲介装置が奏する作用効果と同様の作用効果を奏する。
なお，前記ＡＶ機器は，例えば，テレビジョン受像機等である。
【発明の効果】
【０００９】
本発明によれば，可搬式の装置（前記無線通信仲介装置）が，相互に中距離無線通信（前記第１の無線通信方式による通信）を行う基地局装置及びＡＶ機器等である端末装置それぞれに近づけられた際に，近距離無線通信（前記第２の無線通信方式による通信）を通じて，基地局装置と端末装置との間で中距離無線通信に必要な前記暗号鍵情報の授受を仲介する。これにより，前記基地局装置及び前記端末装置を近距離に近づけることなく，中距離無線通信に必要な暗号鍵情報を自動設定する機能を実現できる。その結果，前記端末装置が大型のテレビジョン受像機や自動車等の一部である場合でも，想定外の基地局装置（アクセスポイントがその典型例）及び端末装置の間で無線通信が確立されてしまうことを防止でき，無線ＬＡＮ通信等の中距離無線通信において高いセキュリティが確保される。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るＡＶシステム１の概略構成を表すブロック図，図２は前記ＡＶシステム１における無線ＬＡＮ通信自動設定処理の手順の第１例を表すフロー図，図３は前記ＡＶシステム１における無線ＬＡＮ通信自動設定処理の手順の第２例を表すフロー図である。
【００１１】
まず，図１に示すブロック図を参照しつつ，本発明の実施形態に係るＡＶ（Audio Visual）システム１の構成について説明する。
図１に示すように，本発明の実施形態に係るＡＶシステム１は，中距離無線通信方式（第１の無線通信方式）により相互に無線ＬＡＮ通信を行うアクセスポイントＺ及びテレビジョン受像機Ｘと，そのアクセスポイントＺ及びテレビジョン受像機Ｘとの間で前記中距離無線通信方式よりも通信可能距離が短い近距離無線通信方式により無線通信を行う携帯端末Ｙとを備えている。なお，前記アクセスポイントＺは基地局装置の一例であり，前記テレビジョン受像機Ｘは，前記アクセスポイントＺと無線ＬＡＮ通信を行う端末装置及びＡＶ機器の一例であり，前記携帯端末Ｙは，可搬式の無線通信仲介装置の一例である。
以下，テレビジョン受像機Ｘ，携帯端末Ｙ及びアクセスポイントＺそれぞれの構成について詳説する。
【００１２】
［テレビジョン受像機Ｘ］
テレビジョン受像機Ｘは，図１に示すように，制御部１０，リモコン受光素子１１，無線ＬＡＮ端末回路１２，近距離無線機１３，映像信号入力回路１４，映像処理回路１５，液晶ディスプレイ１６，バックライト１７，インバータ回路１８及びリモート操作器１９等を備えている。
前記映像信号入力回路１４は，液晶ディスプレイ１６による表示映像の信号を生成又は外部から入力する回路である。例えば，映像信号入力回路１４は，放送信号から放送中の番組の信号を抽出するディジタルチューナや，その抽出信号からＴＳ信号（Transport Stream信号）を復調する復調回路，そのＴＳ信号から放送番組の映像信号を分離抽出するデマルチプレクサやデコード回路等を備えた回路である。
前記映像処理回路１５は，映像信号入力回路１４から出力される映像信号に対して各種信号処理を行うものである。例えば，映像処理回路１５は，前記制御部１０から伝送される画像情報や文字情報を，映像信号入力回路１４から伝送される映像信号に基づく映像に重ねて液晶ディスプレイ１６に表示させるＯＳＤ（On Screen Display）表示機能等を備えている。
【００１３】
前記液晶ディスプレイ１６は，映像処理回路１５から出力される映像信号に基づく映像を表示するものである。
前記バックライト１７は，液晶ディスプレイ１６をその背後から照明するものであり，光源として上下方向に配列された複数本の冷陰極管を備える。
前記インバータ回路１８は，前記制御部１０からの制御指令に従って，バックライト１７の光源（冷陰極管）それぞれに供給する電力を調節する回路である。
前記リモート操作器１９は，不図示の操作部や無線信号出力回路等を備え，その操作部に対して行われた操作に応じて，当該テレビジョン受像機Ｘの動作の制御用の無線信号（例えば，赤外線信号）を出力するものである。
前記リモコン受光素子１１は，前記リモート操作器１９から伝送される無線信号（赤外線信号等）を受信し，これを電気信号に変換することにより，前記リモート操作器１９から伝送される各種情報を取得するとともに，その取得情報を前記制御部１０に伝送するものである。
前記制御部１０は，演算手段（プロセッサ）であるＭＰＵ１０ａ，そのＭＰＵ１０ａによって実行されるプログラムや各種データが格納される記憶手段であるＥＥＰＲＯＭ１０ｂ等を備え，当該テレビジョン受像機Ｘの各構成要素を制御するものである。なお，前記制御部１０が実行する処理は，前記ＭＰＵ１０ａが前記ＥＥＰＲＯＭ１０ｂに予め記憶されたプログラムを実行することによって実現される。
【００１４】
前記無線ＬＡＮ端末回路１２は，前記アクセスポイントＺとの間で，ＩＥＥＥ８０２．１１ｘ規格（ｘはａ，ｂ又はｇ等）やＩＥＥＥ８０３．１１ｘ規格（ｘはａ，ｂ又はｇ等）等の中距離無線通信方式に準拠した無線ＬＡＮ通信を実行する端末側の通信インターフェース回路である。なお，前記無線ＬＡＮ端末回路１２の通信可能距離は数十メートル乃至数百メートル程度である。
また，前記近距離無線機１３は，前記無線ＬＡＮ端末回路１２の通信方式よりも通信可能距離が短い近距離無線通信方式に従って無線通信を行う無線通信装置である。
前記近距離無線機１３の無線通信方式としては，例えば，通信可能距離が１ｍ程度までであるＩｒＤＡ規格やＩｒＳｉｍｐｌｅ規格に準拠した赤外線の通信方式，通信可能距離が数ｍ程度までであるＢｌｕｅｔｏｏｔｈ規格に準拠した無線通信方式，通信可能距離が１００ｍｍ程度までであるＩＳＯ／ＩＥＣ  １８０９２規格に準拠した無線通信方式が考えられる。
なお，テレビジョン受像機Ｘは，図１に示す構成要素の他，音声信号の処理に関する部品（音声のデコーダ回路やアンプ，スピーカ等）等，一般的なテレビジョン受像機が備える他の構成要素も備えている。
【００１５】
［携帯端末Ｙ］
携帯端末Ｙは，例えば，携帯電話機やＰＤＡ等であり，図１に示すように，アンテナ２０，表示部２１，ＭＰＵ２２，メモリ２３，操作部２４，電話無線通信部２５及び近距離無線機２６等を備えている。
前記表示部２１は，液晶ディスプレイや有機ＥＬディスプレイ等の表示装置である。また，前記操作部２４は，複数の操作キー（操作ボタン）を備えた情報入力手段であり，その操作内容を表す信号（操作信号）は，ＭＰＵ２２に伝送される。
前記電話無線通信部２５は，アンテナ２０を通じて無線信号の送受信を行うことにより，最寄りの電話基地局（不図示）との間で無線通信を行うことにより，その電話基地局の上位側の携帯電話の通信網（電話交換機）やインターネット上のサーバ等との間で通信を行うものである。
【００１６】
前記近距離無線機２６は，前記テレビジョン受像機Ｘが備える前記近距離無線機１３と同じ近距離無線通信方式に従って無線通信を行う無線通信装置である。後述するように，携帯端末Ｙが備える前記近距離無線機２６は，前記テレビジョン受像機Ｘに近づけられた際には，そのテレビジョン受像機Ｘにおける前記近距離無線機１３との間で無線通信を行う。また，前記近距離無線機２６は，前記アクセスポイントＺに近づけられた際には，そのアクセスポイントＺが備える近距離無線機３２（後述）との間で無線通信を行う。
以上に示したように，前記携帯端末Ｙは，無線ＬＡＮの通信方式に従って相互に無線通信を行うアクセスポイントＺ及びテレビジョン受像機Ｘそれぞれとの間で，前記無線ＬＡＮの通信方式とは異なる近距離無線通信の方式により無線通信を行う可搬式の機器（無線通信仲介装置）である。
【００１７】
また，前記携帯端末Ｙにおける前記ＭＰＵ２２（マイクロコンピュータユニット）は，当該携帯端末Ｙが備える各部品の制御を行うものであり，不揮発性のメモリ２３（フラッシュメモリ等）に対し各種処理に必要なデータの読み出し及び処理結果の書き込み等も実行する。
例えば，前記ＭＰＵ２２は，無線信号により伝送される電子メールをアンテナ２０及び無線通信部２５を通じて受信し，受信した電子メールデータをメモリ２３に記録する電子メール受信処理を実行する。また，前記ＭＰＵ２２は，予めメモリ２３に記録した電子メールデータを，無線通信部２５及びアンテナ２０を通じて送信する電子メール送信処理も実行する。また，前記ＭＰＵ２２は，メモリ２３に記録した電子メールデータ（受信メール）の内容を表示部２１に表示させたり，操作部２４を通じて入力される電子メールデータ（送信メール）をメモリ２３に記録したりする処理も実行する。
その他，前記ＭＰＵ２２は，所定のＷｅｂブラウザのプログラムを実行することにより，インターネット上のサーバから当該ＭＰＵ２２が実行可能なプログラムを前記メモリ２３にダウンロードする処理や，ダウンロードしたプログラムに従った処理を実行する。その具体例については後述する。
【００１８】
［アクセスポイントＺ］
前記アクセスポイントＺは，端末となる前記テレビジョン受像機Ｘとの間で中距離無線通信方式に準拠した無線ＬＡＮ通信を実行する基地局側の装置である。このアクセスポイントＺは，無線ＬＡＮホスト回路３１，近距離無線機３２，ＭＰＵ３３及びＥＥＰＲＯＭ３４等を備えている。
前記無線ＬＡＮホスト回路３１は，前記テレビジョン受像機Ｘにおける前記無線ＬＡＮ端末回路１２との間で，ＩＥＥＥ８０２．１１ｘ規格（ｘはａ，ｂ又はｇ等）やＩＥＥＥ８０３．１１ｘ規格（ｘはａ，ｂ又はｇ等）等の中距離無線通信方式に準拠した無線ＬＡＮ通信を実行する基地局側の通信インターフェース回路である。前記無線ＬＡＮ端末回路１２は，この無線ＬＡＮホスト回路３１との通信を介して，その無線ＬＡＮホスト回路３１に接続されたインターネット等の上位ネットワークにアクセスしたり，当該アクセスポイントＺと無線ＬＡＮ通信を行う他の端末とデータの送受信を行ったりすることができる。
例えば，テレビジョン受像機は，インターネット上のサーバから電子番組ガイド情報を取得したり，双方向通信型のデジタルテレビ放送における放送元サーバへのデータ送信を行ったりすることが可能である。
【００１９】
また，前記近距離無線機３２は，前記携帯端末Ｙが備える前記近距離無線機２６と同じ近距離無線通信方式に従って無線通信を行う無線通信装置である。後述するように，アクセスポイントＺが備える前記近距離無線機３２は，前記携帯端末Ｙが近づけられた際に，その携帯端末Ｙにおける前記近距離無線機２６との間で無線通信を行う。
前記ＭＰＵ３３（マイクロコンピュータユニット）は，前記ＥＥＰＲＯＭ３４に予め記憶されたプログラムを実行することにより，当該アクセスポイントＺが備える各部品の制御を行うものであり，前記ＥＥＰＲＯＭ３４に対し各種処理に必要なデータの読み出し及び処理結果の書き込み等も実行する。
【００２０】
次に，図２に示す処理のフロー図を参照しつつ，前記ＡＶシステム１における無線ＬＡＮ通信自動設定処理の手順の第１例について説明する。なお，以下に示すＳ１，Ｓ２，…は，処理手順（ステップ）の識別符号を表す。
この無線ＬＡＮ通信自動設定処理の第１例の概要は以下の通りである。
まず，前記携帯端末Ｙが，前記近距離無線機２６を通じて，無線ＬＡＮ通信に必要な情報（以下，無線ＬＡＮ通信情報という）を前記アクセスポイントＺから取得する（Ｓ４，Ｓ５）。
次に，前記携帯端末Ｙが，前記近距離無線機２６を通じて，前記暗号鍵情報を含む前記無線ＬＡＮ通信情報を前記テレビジョン受像機Ｘに送信する（Ｓ７，Ｓ８）。
そして，前記テレビジョン受像機Ｘ及び前記アクセスポイントＺが，前記無線ＬＡＮ通信情報を用いて無線ＬＡＮ通信を行う（Ｓ１１，Ｓ１２）。
なお，前記携帯端末Ｙが実行する処理は，例えば，前記ＭＰＵ２２が，前記電話無線通信部２５を通じてインターネット上のサーバからダウンロードしたプログラム（無線通信仲介プログラム）を実行することによって実現される。
以下，前記無線ＬＡＮ通信自動設定処理の第１例について詳説する。
【００２１】
まず，前記携帯端末Ｙが前記アクセスポイントＺに近づけられた状態で，前記携帯端末Ｙにおける前記ＭＰＵ２２と，前記アクセスポイントＺにおける前記ＭＰＵ３３とは，それぞれの前記近距離無線機２６，３２を通じて無線通信を確立する処理を実行する（Ｓ１）。この処理は，例えば，前記携帯端末Ｙにおける前記操作部２４と，前記アクセスポイントＺが備える不図示の操作部とのそれぞれに対し，近距離無線通信の開始操作（例えば，専用キーの押下操作等）がなされたときに開始される。
そして，前記携帯端末Ｙにおける前記ＭＰＵ２２は，近距離無線通信の確立処理が終了すると，前記近距離無線機２５を通じて，前記アクセスポイントＺに対して前記無線ＬＡＮ通信情報の送信を要求する（Ｓ２）。
一方，前記アクセスポイントＺにおける前記ＭＰＵ３３は，前記近距離無線機３２を通じて，前記無線ＬＡＮ通信情報の送信要求を受信すると，前記無線ＬＡＮ通信情報を含む通信データを生成し，前記ＥＥＰＲＯＭ３４に記憶させる（Ｓ３）。前記無線ＬＡＮ通信情報には，無線ＬＡＮ通信において用いられる通信データの暗号鍵情報（ＷＥＰキー［Wired Equivalent Privacy Key］等）や，通信方式の種類を表す情報，前記アクセスポイントＺの識別情報（ＳＳＩＤ［Service Set ID］等）が含まれる。
さらに，前記アクセスポイントＺにおける前記ＭＰＵ３３は，前記近距離無線機３２を通じて，前記無線ＬＡＮ通信情報を含む通信データを前記携帯端末Ｙに対して送信する（Ｓ４）。これに応じて，前記携帯端末Ｙの前記ＭＰＵ２２は，前記近距離無線機２６を通じて，前記無線ＬＡＮ通信情報を取得（受信）し（Ｓ４），その無線ＬＡＮ通信情報を前記メモリ２３に記憶させる（Ｓ５）。
その後，前記携帯端末Ｙにおける前記ＭＰＵ２２と，前記アクセスポイントＺにおける前記ＭＰＵ３３とは，それぞれの前記近距離無線機２６，３２を通じて無線通信の終了処理を実行する（Ｓ６）。
【００２２】
次に，前記携帯端末Ｙが前記テレビジョン受像機Ｘに近づけられた状態で，前記携帯端末Ｙにおける前記ＭＰＵ２２と，前記テレビジョン受像機Ｘにおける前記ＭＰＵ１０ａとは，それぞれの前記近距離無線機２６，１３を通じて無線通信を確立する処理を実行する（Ｓ７）。この処理は，例えば，前記携帯端末Ｙにおける前記操作部２４と，前記テレビジョン受像機Ｘにおける前記リモート操作器１９に設けられた操作部とのそれぞれに対し，近距離無線通信の開始操作がなされたときに開始される。
次に，前記携帯端末Ｙにおける前記ＭＰＵ２２は，近距離無線通信の確立処理が終了すると，前記近距離無線機２５を通じて，前記テレビジョン受像機Ｘに対し，前記メモリ２３に記憶された前記無線ＬＡＮ通信情報を送信する（Ｓ８）。これに応じて，前記テレビジョン受像機Ｘの前記ＭＰＵ１０ａは，前記近距離無線機１３を通じて，前記無線ＬＡＮ通信情報を取得（受信）し（Ｓ８），その無線ＬＡＮ通信情報を前記ＥＥＰＲＯＭ１０ｂに記憶させる（Ｓ９）。これにより，前記ＥＥＰＲＯＭ１０ｂに，前記暗号鍵情報を含む前記無線ＬＡＮ通信情報が格納される。
その後，前記携帯端末Ｙにおける前記ＭＰＵ２２と，前記テレビジョン受像機Ｘにおける前記ＭＰＵ１０ａとは，それぞれの前記近距離無線機２６，１３を通じて無線通信の終了処理を実行する（Ｓ１０）。
【００２３】
そして，前記テレビジョン受像機Ｘにおける前記ＭＰＵ１０ａと，前記アクセスポイントＺにおける前記ＭＰＵ３３とは，それぞれの前記無線ＬＡＮ端末回路１２及び前記無線ＬＡＮホスト回路３１を通じて無線ＬＡＮ通信を確立する処理を実行し（Ｓ１１），その後，相互に無線ＬＡＮ通信を行う（Ｓ１２）。この無線ＬＡＮ通信は，前記アクセスポイントＺから前記携帯端末Ｙを介して前記テレビジョン受像機Ｘに引き渡された前記無線ＬＡＮ通信情報に基づいて行われる。
即ち，前記無線ＬＡＮ通信においては，前記無線ＬＡＮ通信情報に設定された通信方式が採用される。また，前記アクセスポイントＺから送出される通信データには，その送信元の情報として前記無線ＬＡＮ通信情報に含まれる前記アクセスポイントＺの識別情報（ＳＳＩＤ等）が含められる。同様に，前記テレビジョン受像機Ｘから送出される通信データには，その宛先情報として前記無線ＬＡＮ通信情報に含まれる前記アクセスポイントＺの識別情報（ＳＳＩＤ等）が含められる。
また，前記無線ＬＡＮ通信において送受信される通信データは，前記無線ＬＡＮ通信情報に含まれる前記暗号鍵情報を用いて暗号化及び復号化される。
このように，前記テレビジョン受像機Ｘにおける前記ＭＰＵ１０ａ及び前記無線ＬＡＮ端末回路１２は，ステップＳ８，Ｓ９の処理により受信された前記暗号鍵情報を用いて通信データの暗号化を行いつつ，ステップＳ８，Ｓ９の処理により受信された無線ＬＡＮ通信の通信方式に従って，前記アクセスポイントＺとの間で中距離無線通信を行う（Ｓ１１，Ｓ１２）。
【００２４】
次に，図３に示す処理のフロー図を参照しつつ，前記ＡＶシステム１における無線ＬＡＮ通信自動設定処理の手順の第２例について説明する。
この無線ＬＡＮ通信自動設定処理の第２例の概要は以下の通りである。
まず，前記携帯端末Ｙが，前記近距離無線機２６を通じて，無線ＬＡＮ通信に必要な前記無線ＬＡＮ通信情報を前記テレビジョン受像機Ｘから取得する（Ｓ２４，Ｓ２５）。
次に，前記携帯端末Ｙが，前記近距離無線機２６を通じて，前記暗号鍵情報を含む前記無線ＬＡＮ通信情報を前記アクセスポイントＺに送信する（Ｓ２８，Ｓ２９）。
そして，前記テレビジョン受像機Ｘ及び前記アクセスポイントＺが，前記無線ＬＡＮ通信情報を用いて無線ＬＡＮ通信を行う（Ｓ３１，Ｓ３２）。
以下，前記無線ＬＡＮ通信自動設定処理の第２例について詳説する。
【００２５】
まず，前記携帯端末Ｙが前記テレビジョン受像機Ｘに近づけられた状態で，前記携帯端末Ｙにおける前記ＭＰＵ２２と，前記テレビジョン受像機Ｘにおける前記ＭＰＵ１０ａとは，それぞれの前記近距離無線機２６，１３を通じて無線通信を確立する処理を実行する（Ｓ２１）。この処理は，例えば，前記携帯端末Ｙにおける前記操作部２４と，前記テレビジョン受像機Ｘにおける前記リモート操作器１９の操作部とのそれぞれに対し，近距離無線通信の開始操作（例えば，専用キーの押下操作等）がなされたときに開始される。
そして，前記携帯端末Ｙにおける前記ＭＰＵ２２は，近距離無線通信の確立処理が終了すると，前記近距離無線機２５を通じて，前記テレビジョン受像機Ｘに対して前記無線ＬＡＮ通信情報の送信を要求する（Ｓ２２）。
一方，前記テレビジョン受像機Ｘにおける前記ＭＰＵ１０ａは，前記近距離無線機１３を通じて，前記無線ＬＡＮ通信情報の送信要求を受信すると，前記無線ＬＡＮ通信情報を含む通信データを生成し，前記ＥＥＰＲＯＭ１０ｂに記憶させる（Ｓ２３）。前記無線ＬＡＮ通信情報には，無線ＬＡＮ通信において用いられる通信データの暗号鍵情報（ＷＥＰキー［Wired Equivalent Privacy Key］等）や，通信方式の種類を表す情報，前記テレビジョン受像機Ｘの識別情報（ＭＡＣアドレス［Media Access Control Address］等）が含まれる。
さらに，前記テレビジョン受像機Ｘにおける前記ＭＰＵ１０ａは，前記近距離無線機１３を通じて，前記無線ＬＡＮ通信情報を含む通信データを前記携帯端末Ｙに対して送信（提供）する（Ｓ２４）。これに応じて，前記携帯端末Ｙの前記ＭＰＵ２２は，前記近距離無線機２６を通じて，前記無線ＬＡＮ通信情報を取得（受信）し（Ｓ２４），その無線ＬＡＮ通信情報を前記メモリ２３に記憶させる（Ｓ２５）。これにより，前記ＥＥＰＲＯＭ１０ｂに，前記暗号鍵情報を含む前記無線ＬＡＮ通信情報が格納される。
その後，前記携帯端末Ｙにおける前記ＭＰＵ２２と，前記テレビジョン受像機Ｘにおける前記ＭＰＵ１０ａとは，それぞれの前記近距離無線機２６，１３を通じて無線通信の終了処理を実行する（Ｓ２６）。
【００２６】
次に，前記携帯端末Ｙが前記アクセスポイントＺに近づけられた状態で，前記携帯端末Ｙにおける前記ＭＰＵ２２と，前記アクセスポイントＺにおける前記ＭＰＵ３３とは，それぞれの前記近距離無線機２６，３２を通じて無線通信を確立する処理を実行する（Ｓ２７）。この処理は，例えば，前記携帯端末Ｙにおける前記操作部２４と，前記アクセスポイントＺが備える不図示の操作部とのそれぞれに対し，近距離無線通信の開始操作（例えば，専用キーの押下操作等）がなされたときに開始される。
次に，前記携帯端末Ｙにおける前記ＭＰＵ２２は，近距離無線通信の確立処理が終了すると，前記近距離無線機２５を通じて，前記アクセスポイントＺに対し，前記メモリ２３に記憶された前記無線ＬＡＮ通信情報を送信する（Ｓ２８）。これに応じて，前記アクセスポイントＺの前記ＭＰＵ３３は，前記近距離無線機３２を通じて，前記無線ＬＡＮ通信情報を取得（受信）し（Ｓ２８），その無線ＬＡＮ通信情報を前記ＥＥＰＲＯＭ３４に記憶させる（Ｓ２９）。
その後，前記携帯端末Ｙにおける前記ＭＰＵ２２と，前記アクセスポイントＺにおける前記ＭＰＵ３３とは，それぞれの前記近距離無線機２６，３２を通じて無線通信の終了処理を実行する（Ｓ３０）。
【００２７】
そして，前記テレビジョン受像機Ｘにおける前記ＭＰＵ１０ａと，前記アクセスポイントＺにおける前記ＭＰＵ３３とは，それぞれの前記無線ＬＡＮ端末回路１２及び前記無線ＬＡＮホスト回路３１を通じて無線ＬＡＮ通信を確立する処理を実行し（Ｓ３１），その後，相互に無線ＬＡＮ通信を行う（Ｓ３２）。この無線ＬＡＮ通信は，前記テレビジョン受像機Ｘから前記携帯端末Ｙを介して前記アクセスポイントＺに引き渡された前記無線ＬＡＮ通信情報に基づいて行われる。
即ち，前記無線ＬＡＮ通信においては，前記無線ＬＡＮ通信情報に設定された通信方式が採用される。また，前記アクセスポイントＺから送出される通信データには，その宛先情報として前記無線ＬＡＮ通信情報に含まれる前記テレビジョン受像機Ｘの識別情報（ＭＡＣアドレス等）が含められる。同様に，前記テレビジョン受像機Ｘから送出される通信データには，その送信元情報として前記無線ＬＡＮ通信情報に含まれる前記テレビジョン受像機Ｘの識別情報が含められる。
また，前記無線ＬＡＮ通信において送受信される通信データは，前記無線ＬＡＮ通信情報に含まれる前記暗号鍵情報を用いて暗号化及び復号化される。
このように，前記テレビジョン受像機Ｘにおける前記ＭＰＵ１０ａ及び前記無線ＬＡＮ端末回路１２は，ステップＳ２８，Ｓ２９の処理により受信された前記暗号鍵情報を用いて通信データの暗号化を行いつつ，ステップＳ２８，Ｓ２９の処理により受信された無線ＬＡＮ通信の通信方式に従って，前記アクセスポイントＺとの間で中距離無線通信を行う（Ｓ３１，Ｓ３２）。
【００２８】
以上に示した無線ＬＡＮ通信自動設定処理の前記第１例又は前記第２例を実行するＡＶシステム１においては，前記携帯端末Ｙが，相互に無線ＬＡＮ通信（中距離無線通信）を行う前記アクセスポイントＺ及び前記テレビジョン受像機Ｘそれぞれに近づけられた際に，近距離無線通信を通じて，前記アクセスポイントＺと前記テレビジョン受像機Ｘとの間で無線ＬＡＮ通信に必要な前記暗号鍵情報を含む前記無線ＬＡＮ通信情報の授受を仲介する。これにより，想定外のアクセスポイント及び端末装置の間で無線ＬＡＮ通信が確立されてしまうことを防止でき，無線ＬＡＮ通信において高いセキュリティが確保される。
また，前記テレビジョン受像機Ｘがその移動により前記アクセスポイントＺに近づけられることなく，前記テレビジョン受像機Ｘ及び前記アクセスポイントＺそれぞれにおいて，無線ＬＡＮ通信に必要な暗号鍵情報が自動設定される（Ｓ３，Ｓ９，Ｓ２３，Ｓ２９）ことができる。そのため，前記ＡＶシステム１は，前記テレビジョン受像機Ｘが容易に移動できない大型の装置である場合に好適なシステムである。
【００２９】
以上に示した実施形態においては，前記テレビジョン受像機Ｘ，前記携帯端末Ｙ及び前記アクセスポイントＺそれぞれにおける前記近距離無線機１３，２６，３２は，同じ通信方式により近距離無線通信を行うものであった。
一方，前記テレビジョン受像機Ｘが備える前記近距離無線機１３の通信方式と，前記アクセスポイントＺが備える前記近距離無線機３２の通信方式とが異なる場合も考えられる。
その場合，前記携帯端末Ｙが，前記テレビジョン受像機Ｘ及び前記アクセスポイントＺのいずれに対しても近距離無線通信が可能なように，複数種類の近距離無線通信方式に対応した複数の近距離無線機を備えることが考えられる。
そして，前記携帯端末Ｙの前記ＭＰＵ２２が，前記ステップＳ１，Ｓ２，Ｓ４〜Ｓ６又は前記ステップＳ２１，Ｓ２２，Ｓ２４〜Ｓ２６において実行する前記無線ＬＡＮ通信情報（暗号鍵情報を含む）の取得処理と，前記ステップＳ７，Ｓ８，Ｓ１０又は前記ステップＳ２７，Ｓ２８，Ｓ３０において実行する前記無線ＬＡＮ通信情報（暗号鍵情報を含む）の送信処理とで，異なる近距離無線機を用いて通信を行うことが考えられる。
これにより，前記アクセスポイントＺが対応する近距離無線通信方式と，前記テレビジョン受像機Ｘが対応する近距離無線通信方式とが異なる場合でも，前記無線ＬＡＮ通信情報の自動設定機能を実現できる。
また，前記無線ＬＡＮ通信情報の伝送の仲介を行う機器は，携帯電話機やＰＤＡ等である前記携帯端末Ｙの他，前記テレビジョン受像機Ｘに対して制御信号を無線伝送する前記リモート操作器１９等の他の可搬式の機器によって実現されてもよい。
【産業上の利用可能性】
【００３０】
本発明は，基地局装置と端末装置との間の無線通信仲介装置に利用可能である。
【図面の簡単な説明】
【００３１】
【図１】本発明の実施形態に係るＡＶシステム１の概略構成を表すブロック図。
【図２】ＡＶシステム１における無線ＬＡＮ通信自動設定処理の手順の第１例を表すフロー図。
【図３】ＡＶシステム１における無線ＬＡＮ通信自動設定処理の手順の第２例を表すフロー図。
【符号の説明】
【００３２】
Ｘ    ：テレビジョン受像機
Ｙ    ：携帯端末
Ｚ    ：アクセスポイント
１    ：ＡＶシステム
１０  ：制御部
１０ａ：ＭＰＵ
１０ｂ：ＥＥＰＲＯＭ
１１  ：リモコン受光素子
１２  ：無線ＬＡＮ端末回路
１３  ：近距離無線機
１４  ：映像信号入力回路
１５  ：映像処理回路
１６  ：液晶ディスプレイ
１７  ：バックライト
１８  ：インバータ回路
１９  ：リモート操作器
２０  ：アンテナ
２１  ：表示部
２２  ：ＭＰＵ
２３  ：メモリ
２４  ：操作部
２５  ：電話無線通信部
２６  ：近距離無線機
３１  ：無線ＬＡＮホスト回路
３２  ：近距離無線機
３３  ：ＭＰＵ
３４  ：ＥＥＰＲＯＭ
Ｓ１，Ｓ２，…：処理手順（ステップ）
【図１】
2009239573.tif 000003
【図２】
2009239573.tif 000004
【図３】
2009239573.tif 000005